(57)【要約】【課題】実際に利用されている施設の広告情報に関する提示情報を自車両の乗員に提示する。【解決手段】装置制御部９は、自車両Ｂが立ち寄った施設Ｃ（立寄施設Ｃ）の広告情報を立寄施設Ｃの広告情報送信装置２から受信する。続いて、装置制御部９は、受信した広告情報（自車両広告情報）を自車両広告情報蓄積部６に蓄積する。続いて、装置制御部９は、蓄積している自車両広告情報を他車両Ｂに送信する。また、装置制御部９は、他車両Ｂの車載装置１の無線通信部８から送信された広告情報（他車両広告情報）を受信する。続いて、装置制御部９は、受信した他車両広告情報を他車両広告情報蓄積部７に蓄積する。続いて、装置制御部９は、蓄積している他車両広告情報に基づいて提示情報を生成する。続いて、装置制御部９は、生成した提示情報を自車両Ｂの乗員に提示する。【選択図】図６
2014215131.tif 000002
【特許請求の範囲】
【請求項１】
自車両の乗員に情報を提示する車両用情報提示装置であって、
自車両が立ち寄った施設である立寄施設の広告情報を前記立寄施設の広告情報送信装置から受信する広告情報受信部と、
前記広告情報受信部が受信した前記広告情報を蓄積する自車両広告情報蓄積部と、
前記自車両広告情報蓄積部が蓄積している前記広告情報を他車両に車車間通信で送信する自車両広告情報送信部と、
他車両の前記車両用情報提示装置の前記送信部から送信された前記広告情報である他車両広告情報を車車間通信で受信する他車両広告情報受信部と、
前記他車両広告情報受信部が受信した前記他車両広告情報を蓄積する他車両広告情報蓄積部と、
前記他車両広告情報蓄積部が蓄積している前記他車両広告情報に基づいて提示情報を生成する提示情報生成部と、
前記提示情報生成部が生成した前記提示情報を自車両の乗員に提示する情報提示部とを備えたことを特徴とする車両用情報提示装置。
【請求項２】
前記他車両広告情報蓄積部が蓄積している前記他車両広告情報のうちから、蓄積してから設定期間が経過した前記他車両広告情報を消去する他車両広告情報消去部を備えたことを特徴とする請求項１に記載の車両用情報提示装置。
【請求項３】
前記自車両広告情報蓄積部が蓄積している前記自車両広告情報のうちから、蓄積してから設定期間が経過した前記自車両広告情報を消去する自車両広告情報消去部とを備えたことを特徴とする請求項１または２に記載の車両用情報提示装置。
【請求項４】
前記広告情報受信部と通信可能な前記広告情報送信装置である通信可能広告情報送信装置があるか否かを判定する通信可能広告情報送信装置判定部と、
自車両が停車したか否かを判定する停車判定部と、
自車両が始動したか否かを判定する始動判定部と、
前記広告情報受信部は、前記通信可能広告情報送信装置判定部が前記通信可能広告情報送信装置があると判定し、且つ、前記停車判定部が自車両が停車したと判定した後に、前記通信可能広告情報送信装置判定部が前記通信可能広告情報送信装置があると判定し、且つ、前記始動判定部が自車両が始動したと判定した場合に、前記通信可能広告情報送信装置から送信された前記広告情報を前記立寄施設の前記広告情報として受信することを特徴とする請求項１から３のいずれか１項に記載の車両用情報提示装置。
【請求項５】
前記広告情報は、施設の営業時間を含み、
前記自車両広告情報蓄積部は、前記停車判定部が自車両が停車したと判定したときの時刻、および前記始動判定部が自車両が始動したと判定したときの時刻の少なくともいずれかが、前記広告情報受信部が受信した前記広告情報が含んでいる施設の営業時間の範囲外である場合には、前記広告情報受信部が受信した前記広告情報を蓄積しないことを特徴とする請求項４に記載の車両用情報提示装置。
【請求項６】
前記広告情報は、施設のジャンルを含み、
前記自車両広告情報蓄積部は、前記停車判定部が自車両が停車したと判定してから、前記始動判定部が自車両が始動したと判定するまでの間の時間が、前記広告情報受信部が受信した前記広告情報が含んでいる施設のジャンルに応じた想定利用時間よりも短い場合には、前記広告情報受信部が受信した前記広告情報を蓄積しないことを特徴とする請求項４または５に記載の車両用情報提示装置。
【請求項７】
前記提示情報生成部は、前記他車両広告情報蓄積部が蓄積している前記他車両広告情報を順に配置した情報を前記提示情報として生成するとともに、前記他車両広告情報蓄積部が蓄積している前記他車両広告情報に基づいて前記他車両広告情報の配置順を設定することを特徴とする請求項１から６のいずれか１項に記載の車両用情報提示装置。
【請求項８】
前記広告情報は、施設の営業時間を含み、
前記提示情報生成部は、前記他車両広告情報蓄積部が蓄積している前記他車両広告情報が含む施設の営業時間を考慮し、前記他車両広告情報蓄積部が蓄積している前記他車両広告情報のうち、営業時間内に自車両が到達できる施設の前記広告情報に基づいて前記提示情報を生成することを特徴とする請求項１から７のいずれか１項に記載の車両用情報提示装置。
【発明の詳細な説明】
【技術分野】
【０００１】
本発明は、車両用情報提示装置に関する。
【背景技術】
【０００２】
従来、自車両の乗員に情報を提示する車両用情報提示装置としては、例えば、特許文献１に記載の従来技術がある。この従来技術では、インターネット上から、自車両の現在位置周辺に存在する施設のうち、自車両の乗員の嗜好にマッチする施設のＲＳＳ（RDF Site Summary）情報を検索する。ＲＳＳ情報としては、例えば、ウェブサイトの更新情報がある。続いて、この従来技術では、検索したＲＳＳ情報を自車両の乗員に提示する。これにより、この従来技術では、自車両の乗員の嗜好に合致したフレッシュな情報を提示する。
【先行技術文献】
【特許文献】
【０００３】
【特許文献１】特開２００９−２７６０８１号公報
【発明の概要】
【発明が解決しようとする課題】
【０００４】
しかしながら、上記従来技術では、インターネット上からＲＳＳ情報を検索するようになっている。それゆえ、上記従来技術では、インターネット上の情報を頻繁に更新している施設の広告情報も検索される。そのため、上記従来技術では、実際の利用状態に関わらず、広告費が多い施設の広告情報が提示される可能性がある。
本発明は、上記のような点に着目し、実際に利用されている施設の広告情報に関する提示情報を自車両の乗員に提示可能とすることを目的とする。
【課題を解決するための手段】
【０００５】
上記課題を解決するため、本発明の一態様では、自車両が立ち寄った施設である立寄施設の広告情報を立寄施設の広告情報送信装置から受信する。続いて、本発明の一態様では、受信した広告情報を蓄積する。続いて、本発明の一態様では、蓄積している広告情報を他車両に車車間通信で送信する。また、本発明の一態様では、他車両の車両用情報提示装置の送信部から送信された広告情報である他車両広告情報を車車間通信で受信する。続いて、本発明の一態様では、受信した他車両広告情報を蓄積する。続いて、本発明の一態様では、蓄積している他車両広告情報に基づいて提示情報を生成する。続いて、本発明の一態様では、前記提示情報生成部が生成した前記提示情報を自車両の乗員に提示する。
【発明の効果】
【０００６】
本発明の一態様では、他車両が立ち寄った施設の広告情報に関する情報、つまり、他車両が利用した施設の広告情報を自車両の乗員に提示する。それゆえ、本発明の一態様では、実際に利用されている施設の広告情報に関する提示情報を自車両の乗員に提示できる。
【図面の簡単な説明】
【０００７】
【図１】車載装置１の概略構成を示す図である。
【図２】情報提示部１３の提示内容を表す図である。
【図３】自車両広告情報蓄積処理を表すフローチャートである。
【図４】他車両広告情報蓄積処理を表すフローチャートである。
【図５】提示情報生成提示処理を表すフローチャートである。
【図６】車両用情報提供システムＡの動作を説明するための説明図である。
【発明を実施するための形態】
【０００８】
次に、本発明に係る実施形態について図面を参照して説明する。
本実施形態は、本発明を、車両用情報提供システムＡに適用したものである。
（構成）
図１は、車両用情報提供システムＡの概略構成を示す図である。
図１に示すように、車両用情報提供システムＡは、複数台の車両Ｂが搭載する車載装置１、および複数の施設Ｃが有する広告情報送信装置２を備える。施設Ｃとしては、例えば、遊園地、水族館、公園等の公共施設や、飲食店等の店舗がある。車載装置１と広告情報送信装置２とは、アドホック通信を介して情報の伝送を行う。アドホック通信としては、例えば、基地局を介さずに装置間で直接に行う無線通信がある。また、各車両Ｂの車載装置１間は、アドホック通信（車車間通信）を介して情報の伝送を行う。
【０００９】
（車載装置１の構成）
車載装置１は、スイッチ状態検出部３、表示要求部４、ナビゲーション装置５、自車両広告情報蓄積部６、他車両広告情報蓄積部７、無線通信部８、および装置制御部９を備える。
スイッチ状態検出部３は、自車両Ｂのイグニッションスイッチのスイッチ状態を検出する。スイッチ状態としては、例えば、オン状態、およびオフ状態がある。そして、スイッチ状態検出部３は、検出結果の情報を装置制御部９に出力する。
表示要求部４は、乗員の操作に応じて後述する提示情報の表示要求を行う。そして、表示要求部４は、表示要求の情報をルート案内部１２に出力する。
【００１０】
ナビゲーション装置５は、現在位置検出部１０、目的地設定部１１、ルート案内部１２、および情報提示部１３を備える。
現在位置検出部１０は、自車両Ｂの現在位置を検出する。そして、現在位置検出部１０は、検出結果の情報を装置制御部９およびルート案内部１２に出力する。
目的地設定部１１は、乗員の操作に応じて目的地を設定する。そして、目的地設定部１１は、設定結果の情報をルート案内部１２に出力する。
【００１１】
ルート案内部１２は、現在位置検出部１０が出力した情報（現在位置）に基づき、目的地設定部１１が設定した目的地までの案内ルートを探索する。そして、ルート案内部１２は、現在位置検出部１０が出力した情報（現在位置）に基づき探索した案内ルートに沿って自車両Ｂを案内する情報（以下、案内情報とも呼ぶ）を提示させる指令（以下、案内ルート提示指令とも呼ぶ）を情報提示部１３に出力する。
【００１２】
図２は、情報提示部１３の提示内容を表す図である。
情報提示部１３は、ルート案内部１２が出力した案内ルート提示指令を取得すると、取得した案内ルート提示指令に従って案内情報を提示する。案内情報の提示方法としては、例えば、案内情報の画像を表示画面に表示する方法、案内情報を読み上げた音声をスピーカから出力する方法がある。また、情報提示部１３は、装置制御部９が出力した提示情報提示指令を取得すると、取得した提示情報提示指令に従って提示情報を提示する。提示情報提示指令としては、例えば、提示情報を情報提示部１３に提示させる指令がある。また、提示情報としては、例えば、図２に示すように、複数の他車両Ｂから取得した複数の広告情報を順に配置した情報がある。広告情報の配置順としては、例えば、他車両Ｂが立ち寄った回数が多い施設Ｃの広告情報の順、他車両Ｂが立ち寄った時刻が現在時刻に近い施設Ｃの広告情報の順、他車両Ｂが立ち寄った滞在時間が長い施設Ｃの広告情報の順、および現在位置からの距離が近い施設Ｃの広告情報の順がある。広告情報としては、例えば、施設Ｃの位置、および広告詳細情報等を含む情報がある。広告詳細情報としては、例えば、施設Ｃの名称、広告文、営業時間、ジャンル等がある。施設Ｃのジャンルとしては、例えば、遊園地、水族館、公園、飲食店がある。提示情報の提示方法としては、例えば、提示情報の画像を表示画面に表示する方法、提示情報を読み上げた音声をスピーカから出力する方法がある。
【００１３】
なお、本実施形態では、情報提示部１３が、複数の他車両Ｂから取得した複数の広告情報を順に配置した画像を提示する例を示したが、例えば、他の構成を採用することもできる。例えば、情報提示部１３が、乗員の操作に応じたジャンルの施設Ｃを表す広告情報のみを提示する構成としてもよい。この場合、乗員の操作に応じて乗員の興味のあるジャンル（例えば、映画）を設定可能とする。このようにすれば、情報提示部１３が、乗員が興味のないジャンルの施設Ｃの広告情報を提示対象から除外できる。
【００１４】
また、情報提示部１３は、装置制御部９が出力した更新情報提示指令を取得すると、取得した更新情報提示指令に従って更新情報を提示する。更新情報提示指令としては、例えば、更新情報を情報提示部１３に提示させる指令がある。また、更新情報としては、例えば、提示情報を更新した旨、つまり、提供情報を新たに生成した旨を伝える情報がある。更新情報の提示方法としては、例えば、更新情報の画像を表示画面にポップアップ表示する方法、更新情報を読み上げた音声をスピーカから出力する方法がある。
【００１５】
自車両広告情報蓄積部６は、自車両Ｂが立ち寄った施設Ｃ（以下、立寄施設Ｃとも呼ぶ）の広告情報送信装置２からアドホック通信（無線通信部８）を介して装置制御部９が受信した広告情報（以下、自車両広告情報とも呼ぶ）を蓄積する。
他車両広告情報蓄積部７は、他車両Ｂの車載装置１の無線通信部８からアドホック通信（無線通信部８）を介して装置制御部９が受信した広告情報（以下、他車両広告情報とも呼ぶ）を蓄積する。その際、他車両広告情報蓄積部７は、蓄積した他車両広告情報に他車両Ｂを一意に特定する識別子（以下、車両固有キーとも呼ぶ）を対応付ける。
【００１６】
無線通信部８は、電波が届く範囲内に存在する他車両Ｂの無線通信部８を探し出す。続いて、無線通信部８は、探し出した他車両Ｂの無線通信部８とアドホック通信によって情報を送受信可能な状態とする。これにより、無線通信部８は、他車両Ｂの無線通信部８とアドホック通信を確立する。また、無線通信部８は、別の他車両Ｂ（以下、第１他車両Ｂとも呼ぶ）とアドホック通信を確立している他車両Ｂ（以下、第２他車両Ｂとも呼ぶ）とアドホック通信を確立した場合、第２他車両Ｂの無線通信部８を介して第１他車両Ｂともアドホック通信を確立する。これにより、装置制御部９は、アドホック通信（無線通信部８）を介して、他車両Ｂの無線通信部８が送信してくる他車両広告情報を受信する。また、装置制御部９が、アドホック通信（無線通信部８）を介して、自車両広告情報蓄積部６が蓄積している自車両広告情報を他車両Ｂの無線通信部８に送信する。
【００１７】
また、無線通信部１５は、電波が届く範囲内に存在する施設Ｃの無線通信部１５を探し出す。続いて、無線通信部１５は、探し出した施設Ｃの無線通信部１５とアドホック通信によって情報を送受信可能な状態とする。これにより、無線通信部１５は、施設Ｃの無線通信部１５とアドホック通信を確立する。そして、装置制御部９は、アドホック通信（無線通信部１５）を介して、施設Ｃの無線通信部１５が送信してくる広告情報を受信する。
【００１８】
装置制御部９は、スイッチ状態検出部３が出力した情報を取得する。そして、装置制御部９は、取得した情報、および無線通信部８と無線通信部１５とのアドホック通信の確立状態に基づき、自車両広告情報蓄積処理を実行する。自車両広告情報蓄積処理では、装置制御部９は、自車両Ｂが立ち寄った施設Ｃ（以下、施設Ｃとも呼ぶ）の広告情報を自車両広告情報として自車両広告情報蓄積部６に蓄積する。
【００１９】
また、装置制御部９は、アドホック通信（無線通信部８）を介して、他車両Ｂの無線通信部８が出力した他車両広告情報を受信する。続いて、装置制御部９は、受信した他車両広告情報に基づき、他車両広告情報蓄積処理を実行する。他車両広告情報蓄積処理では、装置制御部９は、他車両Ｂの車載装置１の無線通信部８から受信した他車両広告情報を他車両広告情報として他車両Ｂ広告情報蓄積部に蓄積する。また、他車両広告情報蓄積処理では、装置制御部９は、アドホック通信（無線通信部８）を介して、自車両広告情報蓄積部６が蓄積している自車両広告情報を他車両Ｂの無線通信部８に送信する。
【００２０】
さらに、装置制御部９は、表示要求部４が出力した情報を取得する。そして、装置制御部９は、取得した情報、および他車両広告情報蓄積部７が蓄積している他車両広告情報に基づき提示情報生成提示処理を実行する。提示情報生成提示処理では、装置制御部９は、情報提示部１３に提示させる提示情報を生成し、生成した提示情報を提示させる指令（提示情報提示指令）を情報提示部１３に出力する。
【００２１】
（広告情報送信装置２の構成）
広告情報送信装置２は、広告情報蓄積部１４、無線通信部１５、および無線制御部１６を備える。
広告情報蓄積部１４は、自施設Ｃの広告情報を蓄積している。
無線通信部１５は、電波が届く範囲内に存在する車両Ｂの無線通信部８を探し出す。続いて、無線通信部１５は、探し出した車両Ｂの無線通信部８とアドホック通信によって情報を送受信可能な状態とする（車両Ｂの無線通信部８とアドホック通信を確立する）。続いて、装置制御部９は、アドホック通信（無線通信部１５）を介して、自車両広告情報蓄積部６が蓄積している自車両広告情報を車両Ｂの無線通信部８に送信する。
無線制御部１６は、アドホック通信（無線通信部８）を介して、広告情報蓄積部１４が蓄積している広告情報を車両Ｂの無線通信部８に送信する。
【００２２】
（演算処理）
次に、装置制御部９が実行する自車両広告情報蓄積処理について説明する。
図３は、自車両広告情報蓄積処理を表すフローチャートである。
図３に示すように、ステップＳ１０１では、装置制御部９は、自車両広告情報蓄積部６が蓄積している自車両広告情報のうちから、蓄積してから設定期間が経過した自車両広告情報を消去する。設定期間としては、例えば、自車両広告情報を蓄積した日、自車両広告情報を蓄積してから２４時間、自車両Ｂが自宅に戻るまでの期間がある。
【００２３】
続いてステップＳ１０２に移行して、装置制御部９は、無線通信部８と通信可能な広告情報送信装置２があるか否かを判定する。具体的には、装置制御部９は、電波が届く範囲内（例えば、半径５０ｍの範囲内）に存在する施設Ｃの無線通信部１５を無線通信部８が探し出したか否かを判定する。そして、装置制御部９は、電波が届く範囲内に存在する施設Ｃの無線通信部１５を無線通信部８が探し出した場合には（Ｙｅｓ）、無線通信部８と通信可能な広告情報送信装置２があると判定し、ステップＳ１０３に移行する。一方、装置制御部９は、電波が届く範囲内に存在する施設Ｃの無線通信部１５を無線通信部８が探し出せなかった場合には（Ｎｏ）、無線通信部８と通信可能な広告情報送信装置２がないと判定し、前記ステップＳ１０１に移行する。
【００２４】
続いてステップＳ１０３に移行して、装置制御部９は、自車両Ｂが停車しているか否かを判定する。具体的には、装置制御部９は、スイッチ状態検出部３が検出したイグニッションスイッチの状態に基づき、イグニッションスイッチがオフ状態であるか否かを判定する。そして、装置制御部９は、イグニッションスイッチがオフ状態であると判定した場合には（Ｙｅｓ）、自車両Ｂが停車していると判定し、ステップＳ１０４に移行する。一方、装置制御部９は、イグニッションスイッチがオン状態であると判定した場合には（Ｎｏ）、自車両Ｂが停車していないと判定し、前記ステップＳ１０１に移行する。
【００２５】
なお、本実施形態では、装置制御部９が、イグニッションスイッチがオフ状態であると判定した場合に、自車両Ｂが停車していると判定する例を示したが、他の構成を採用してもよい。例えば、装置制御部９が、自車両Ｂの車速が設定値（例えば、５km/h）以下であると判定した場合に自車両Ｂが停車していると判定する構成としてもよい。
続いてステップＳ１０４に移行して、装置制御部９は、自車両Ｂが始動しているか否かを判定する。具体的には、装置制御部９は、スイッチ状態検出部３が検出したイグニッションスイッチの状態に基づき、イグニッションスイッチがオン状態であるか否かを判定する。そして、装置制御部９は、イグニッションスイッチがオン状態であると判定した場合には（Ｙｅｓ）、自車両Ｂが始動していると判定し、ステップＳ１０４に移行する。一方、装置制御部９は、イグニッションスイッチがオン状態であると判定した場合には（Ｎｏ）、自車両Ｂが始動していないと判定し、この判定を再度繰り返し実行する。
【００２６】
続いてステップＳ１０５に移行して、装置制御部９は、無線通信部８と通信可能な広告情報送信装置２があるか否かを判定する。具体的には、装置制御部９は、電波が届く範囲内（例えば、半径５０ｍの範囲内）に存在する施設Ｃの無線通信部１５を無線通信部８が探し出したか否かを判定する。そして、装置制御部９は、電波が届く範囲内に存在する施設Ｃの無線通信部１５を無線通信部８が探し出した場合には（Ｙｅｓ）、無線通信部８と通信可能な広告情報送信装置２があると判定し、ステップＳ１０６に移行する。一方、装置制御部９は、電波が届く範囲内に存在する施設Ｃの無線通信部１５を無線通信部８が探し出せなかった場合には（Ｎｏ）、無線通信部８と通信可能な広告情報送信装置２がないと判定し、前記ステップＳ１０１に移行する。
【００２７】
前記ステップＳ１０６では、装置制御部９が、自車両Ｂの無線通信部８と施設Ｃの無線通信部１５とがアドホック通信を確立したか否かを判定する。そして、装置制御部９が、自車両Ｂの無線通信部８と施設Ｃの無線通信部１５とがアドホック通信を確立したと判定した場合には（Ｙｅｓ）ステップＳ１０７に移行する。一方、装置制御部９が、自車両Ｂの無線通信部８と施設Ｃの無線通信部１５とがアドホック通信を確立していないと判定した場合には（Ｎｏ）この判定を再度繰り返し実行する。
前記ステップＳ１０７では、装置制御部９は、アドホック通信（無線通信部８）を介して、施設Ｃの無線通信部１５から送信されてくる広告情報を受信する。
【００２８】
続いてステップＳ１０８に移行して、装置制御部９は、自車両Ｂの停車時間が適正でないか否かを判定する。具体的には、装置制御部９は、前記ステップＳ１０３で自車両Ｂが停車したと判定したときの時刻、および前記ステップＳ１０４で自車両Ｂが始動したと判定したときの時刻を取得する。続いて、装置制御部９は、取得した時刻の少なくともいずれかが、前記ステップＳ１０７で受信した広告情報が含んでいる施設Ｃの営業時間の範囲外であるか否かを判定する。そして、装置制御部９は、施設Ｃの営業時間の範囲外であると判定した場合には（Ｙｅｓ）、自車両Ｂの停車時間が適正でないと判定し、前記ステップＳ１０１に移行する。一方、装置制御部９は、施設Ｃの営業時間の範囲内であると判定した場合には（Ｎｏ）、自車両Ｂの停車時間が適正であると判定し、ステップＳ１０９に移行する。これにより、装置制御部９は、自車両Ｂの停車時間が適正でないと判定した場合には、受信した広告情報を自車両広告情報蓄積部６に蓄積しない。
【００２９】
このように、本実施形態では、装置制御部９が、自車両Ｂが停車したと判定したときの時刻、および自車両Ｂが始動したと判定したときの時刻の少なくともいずれかが、受信した広告情報が含んでいる施設Ｃの営業時間の範囲外であると判定した場合には、受信した広告情報を自車両広告情報蓄積部６に蓄積しない。それゆえ、本実施形態では、自車両Ｂが停車したと判定したときの時刻、および自車両Ｂが始動したと判定したときの時刻の少なくともいずれかが、施設Ｃの営業時間の範囲外である場合、つまり、自車両Ｂの乗員が施設Ｃを利用していない場合には、受信した施設Ｃの広告情報を蓄積しない。そのため、本実施形態では、より適切な広告情報を蓄積できる。
【００３０】
なお、本実施形態では、自車両Ｂが停車したと判定したときの時刻、および自車両Ｂが始動したと判定したときの時刻の少なくともいずれかが、受信した広告情報が含んでいる施設Ｃの営業時間の範囲外であると判定した場合には、受信した広告情報を自車両広告情報蓄積部６に蓄積しない例を示したが、他の構成を採用することもできる。例えば、装置制御部９が、自車両Ｂが停車したと判定してから、自車両Ｂが始動したと判定するまでの間の時間が、受信した広告情報が含んでいる施設Ｃのジャンルに応じた想定利用時間よりも短い場合には、受信した広告情報を自車両広告情報蓄積部６に蓄積しない構成としてもよい。具体的には、装置制御部９は、前記ステップＳ１０３で自車両Ｂが停車したと判定してから、前記ステップＳ１０４で自車両Ｂが始動したと判定するまでの間の時間を取得する。続いて、装置制御部９は、取得した時間が、前記ステップＳ１０７で受信した広告情報が含んでいる施設Ｃのジャンルに応じた想定利用時間よりも短いと判定した場合には（Ｙｅｓ）、自車両Ｂの停車時間が適正でないと判定し、前記ステップＳ１０１に移行する。施設Ｃのジャンルに応じた想定利用時間としては、例えば、ジャンルが遊園地や水族館である場合には２時間、ジャンルが公園である場合には１時間、ジャンルが飲食店である場合には３０分とする。一方、装置制御部９は、取得した時間が、前記ステップＳ１０７で受信した広告情報が含んでいる施設Ｃのジャンルに応じた想定利用時間よりも長いと判定した場合には（Ｎｏ）、自車両Ｂの停車時間が適正であると判定し、ステップＳ１０９に移行する。これにより、装置制御部９は、自車両Ｂの停車時間が適正でないと判定した場合には、受信した広告情報を自車両広告情報蓄積部６に蓄積しない。
【００３１】
このように、本実施形態では、装置制御部９が、自車両Ｂが停車したと判定してから、自車両Ｂが始動したと判定するまでの間の時間が、受信した広告情報が含んでいる施設Ｃのジャンルに応じた想定利用時間よりも短い場合には、受信した広告情報を自車両広告情報蓄積部６に蓄積しない。それゆえ、本実施形態では、自車両Ｂが停車したと判定してから、自車両Ｂが始動したと判定するまでの間の時間が、受信した広告情報が含んでいる施設Ｃのジャンルに応じた想定利用時間（２時間）よりも短い場合、つまり、自車両Ｂの乗員が施設Ｃを利用していない場合には、施設Ｃの広告情報を蓄積しない。そのため、本実施形態では、より適切な広告情報を蓄積できる。
前記ステップＳ１０９では、装置制御部９は、前記ステップＳ１０７で受信した広告情報を自車両広告情報として自車両広告情報蓄積部６に蓄積した後、前記ステップＳ１０１に移行する。
【００３２】
次に、装置制御部９が実行する他車両広告情報蓄積処理について説明する。
図４は、他車両広告情報蓄積処理を表すフローチャートである。
図４に示すように、ステップＳ２０１では、装置制御部９は、自車両Ｂを一意に特定する識別子（車両固有キー）を生成する。車両固有キーは、設定期間が経過したら無効とする。設定期間としては、例えば、車両固有キーを生成した日、車両固有キーを生成してから２４時間、自車両Ｂが自宅に戻るまでの期間がある。
【００３３】
続いてステップＳ２０２に移行して、装置制御部９は、自車両Ｂの周囲に自車両Ｂとアドホック通信が可能な他車両Ｂがあるか否かを判定する。具体的には、装置制御部９は、電波が届く範囲内（例えば、半径５０ｍ）に存在する他車両Ｂの無線通信部８を無線通信部８が探し出したか否かを判定する。そして、装置制御部９は、電波が届く範囲内に存在する他車両Ｂの無線通信部８を無線通信部８が探し出した場合には（Ｙｅｓ）、自車両Ｂの周囲に自車両Ｂとアドホック通信可能な他車両Ｂがあると判定し、ステップＳ２０３に移行する。一方、装置制御部９は、電波が届く範囲内に存在する他車両Ｂの無線通信部８を無線通信部８が探し出せなかった場合には（Ｎｏ）、自車両Ｂの周囲に自車両Ｂとアドホック通信可能な他車両Ｂがないと判定し、この判定を再度繰り返し実行する。
【００３４】
前記ステップＳ２０３では、装置制御部９が、自車両Ｂの無線通信部８と他車両Ｂの無線通信部８とがアドホック通信を確立したか否かを判定する。そして、装置制御部９が、自車両Ｂの無線通信部８と他車両Ｂの無線通信部８とがアドホック通信を確立したと判定した場合には（Ｙｅｓ）ステップＳ２０４に移行する。一方、装置制御部９が、自車両Ｂの無線通信部８と他車両Ｂの無線通信部８とがアドホック通信を確立していないと判定した場合には（Ｎｏ）前記ステップＳ２０２に移行する。
【００３５】
前記ステップＳ２０４では、装置制御部９は、アドホック通信（無線通信部８）を介して、他車両Ｂの無線通信部８から送信されてくる広告情報（他車両広告情報）、および他車両Ｂの車両固有キーを受信する。
続いてステップＳ２０５に移行して、装置制御部９は、前記ステップＳ２０４で受信した車両固有キーと同一の車両固有キーに対応付けられている他車両広告情報（以下、対応他車両広告情報とも呼ぶ）が他車両広告情報蓄積部７に蓄積されているか否かを判定する。そして、装置制御部９は、対応他車両広告情報が他車両広告情報蓄積部７に蓄積されていると判定した場合には（Ｙｅｓ）ステップＳ２０６に移行する。一方、装置制御部９は、対応他車両広告情報が他車両広告情報蓄積部７に蓄積されていないと判定した場合には（Ｎｏ）ステップＳ２０７に移行する。
【００３６】
前記ステップＳ２０６では、装置制御部９は、前記ステップＳ２０４で受信した他車両広告情報が他車両広告情報蓄積部７に未蓄積の他車両広告情報であるか否かを判定する。具体的には、装置制御部９は、他車両広告情報蓄積部７に蓄積されている対応他車両広告情報のうちに、前記ステップＳ２０４で受信した他車両広告情報と同一の他車両広告情報がないか否かを判定する。そして、装置制御部９は、前記ステップＳ２０４で受信した他車両広告情報と同一の他車両広告情報がないと判定した場合には（Ｙｅｓ）、他車両広告情報蓄積部７に未蓄積の他車両広告情報であると判定し、前記ステップＳ２０７に移行する。一方、装置制御部９は、前記ステップＳ２０４で受信した他車両広告情報と同一の他車両広告情報があると判定した場合には（Ｎｏ）、他車両広告情報蓄積部７に未蓄積の他車両広告情報ではないと判定し、ステップＳ２０８に移行する。
【００３７】
前記ステップＳ２０７では、装置制御部９は、前記ステップＳ２０４で受信した他車両広告情報を他車両広告情報蓄積部７に蓄積した後、前記ステップＳ２０８に移行する。その際、装置制御部９は、蓄積した他車両広告情報に前記ステップＳ２０４で受信した車両固有キー（他車両Ｂの車両固有キー）を対応付ける。
前記ステップＳ２０８では、装置制御部９は、アドホック通信（無線通信部８）を介して、他車両Ｂの無線通信部８に自車両広告情報、および自車両Ｂの車両固有キーを送信した後、前記ステップＳ２０２に移行する。
【００３８】
次に、装置制御部９が実行する提示情報生成提示処理について説明する。
図５は、提示情報生成提示処理を表すフローチャートである。
図５に示すように、ステップＳ３０１では、装置制御部９は、他車両広告情報蓄積部７が蓄積している他車両広告情報のうちから、蓄積してから設定期間が経過した他車両広告情報を消去する。設定期間としては、例えば、他車両広告情報を蓄積した日、他車両広告情報を蓄積してから２４時間、自車両Ｂが自宅に戻るまでの期間がある。
【００３９】
続いてステップＳ３０２に移行して、装置制御部９は、他車両広告情報蓄積部７が蓄積している他車両広告情報を更新したか否かを判定する。具体的には、装置制御部９は、他車両広告情報蓄積部７がこの提示情報生成提示処理を前回実行したときに蓄積していた他車両広告（以下、前回広告情報とも呼ぶ）と現在蓄積している他車両広告情報（以下、現在広告情報とも呼ぶ）とが異なっているか否かを判定する。そして、装置制御部９は、前回広告情報と現在広告情報とが異なっていると判定した場合には（Ｙｅｓ）、他車両広告情報を更新したと判定し、ステップＳ３０３に移行する。一方、装置制御部９は、前回広告情報と現在広告情報とが同一であると判定した場合には（Ｎｏ）、他車両広告情報を更新していないと判定し、前記ステップＳ３０１に移行する。
【００４０】
前記ステップＳ３０３では、装置制御部９は、他車両広告情報蓄積部７が蓄積している他車両広告情報に基づいて提示情報を生成する。その際、装置制御部９が、他車両広告情報蓄積部７が蓄積している他車両広告情報が含む施設Ｃへの自車両Ｂの予想到達時刻を判定する。続いて、装置制御部９が、他車両広告情報蓄積部７が蓄積している他車両広告情報が含む施設Ｃの営業時間を取得する。続いて、装置制御部９が、取得した施設Ｃの営業時間を考慮し、他車両広告情報蓄積部７が蓄積している他車両広告情報のうち、営業時間内に自車両Ｂが到達できる施設Ｃの広告情報に基づいて、つまり、該施設Ｃの広告情報のみを含んだ提示情報を生成する。これにより、情報提示部１３は、営業時間内に自車両Ｂが到達できる施設Ｃの広告情報のみを提示情報として自車両Ｂの乗員に提示する。
【００４１】
このように、本実施形態では、装置制御部９が、他車両広告情報蓄積部７が蓄積している他車両広告情報が含む施設Ｃの営業時間を考慮し、営業時間内に自車両Ｂが到達できる施設Ｃの広告情報のみを提示情報として自車両Ｂの乗員に提示する。それゆえ、本実施形態では、営業時間内に自車両Ｂが到達できない施設Ｃの広告情報を提示情報から省くことができる。そのため、本実施形態では、より適切な提示情報を提示できる。
続いてステップＳ３０４に移行して、装置制御部９は、更新情報提示指令を情報提示部１３に出力した後、前記ステップＳ３０５に移行する。
【００４２】
前記ステップＳ３０５では、装置制御部９は、自車両Ｂの乗員が提示情報を表示させる操作を行ったか否かを判定する。具体的には、装置制御部９は、表示要求部４が表示要求を出力したか否かを判定する。そして、装置制御部９は、表示要求部４が表示要求を出力したと判定した場合には（Ｙｅｓ）、自車両Ｂの乗員が提示情報を表示させる操作を行ったと判定し、ステップＳ３０６に移行する。一方、装置制御部９は、表示要求部４が表示要求を出力していないと判定した場合には（Ｎｏ）、自車両Ｂの乗員が提示情報を表示させる操作を行っていないと判定し、前記ステップＳ３０１に移行する。
【００４３】
前記ステップＳ３０６では、装置制御部９は、前記ステップＳ３０３で生成した提示情報を提示させる提示情報提示指令を情報提示部１３に出力した後、この演算処理を終了する。
なお、本実施形態では、装置制御部９が、自車両Ｂの乗員が提示情報を表示させる操作を行ったと判定した場合に提示情報提示指令を情報提示部１３に出力する例を示したが、他の構成を採用することもできる。例えば、装置制御部９が、提示情報を生成するたびに、提示情報提示指令を情報提示部１３に出力する構成としてもよい。
【００４４】
（動作その他）
次に、車両用情報提供システムＡの動作について説明する。
図６は、車両用情報提供システムＡの動作を説明するための説明図である。
複数台の車両Ｂのうちの車両Ｂ（以下、対象車両Ｂ1とも呼ぶ）の車載装置１が、自車両広告情報を自車両広告情報蓄積部６に蓄積する際の動作について説明する。
まず、対象車両Ｂ1の乗員が、図６（ａ）に示すように、施設Ｃの駐車場、つまり、施設Ｃの無線通信部１５からの電波が届く範囲に対象車両Ｂ1を停車させたとする。そして、対象車両Ｂ1の無線通信部８と施設Ｃの無線通信部１５とが、アドホック通信を確立したとする。すると、対象車両Ｂ1の装置制御部９（以下、対象装置制御部９とも呼ぶ）が、対象車両Ｂ1の周囲に広告情報を無線通信部８へ送信する広告情報送信装置２があると判定する（図３のステップＳ１０２「Ｙｅｓ」）。続いて、対象装置制御部９が、対象車両Ｂ1が停車していると判定する（図３のステップＳ１０３「Ｙｅｓ」）。
【００４５】
ここで、施設Ｃが、映画館であったとする。そして、対象車両Ｂ1の乗員が、対象車両Ｂ1から降車し、施設Ｃで映画を鑑賞したとする。また、施設Ｃで映画の鑑賞を終え、対象車両Ｂ1の乗員が、対象車両Ｂ1に乗車し、対象車両Ｂ1を始動させたとする。すると、対象装置制御部９が、対象車両Ｂ1が始動していると判定する（図３のステップＳ１０４「Ｙｅｓ」）。続いて、対象装置制御部９が、対象車両Ｂ1の周囲に広告情報を無線通信部８へ送信する広告情報送信装置２があると判定する（図３のステップＳ１０５「Ｙｅｓ」）。続いて、対象装置制御部９が、自車両Ｂの無線通信部８と施設Ｃの無線通信部１５とがアドホック通信を確立したと判定する（図３のステップＳ１０６「Ｙｅｓ」）。続いて、対象装置制御部９が、アドホック通信を介して、施設Ｃの無線通信部１５から送信されてくる広告情報を受信する（図３のステップＳ１０７）。続いて、対象装置制御部９が、適正な停車時間であると判定する（図３のステップＳ１０８「Ｎｏ」）。続いて、対象装置制御部９が、受信した広告情報を自車両広告情報として自車両広告情報蓄積部６に蓄積する（図３のステップＳ１０９）。これにより、装置制御部９が、対象車両Ｂ1が立ち寄った施設Ｃの広告情報を自車両広告情報として自車両広告情報蓄積部６に蓄積する。
【００４６】
このように、本実施形態では、装置制御部９が、無線通信部８と通信可能な広告情報送信装置２（以下、通信可能広告情報送信装置２とも呼ぶ）があると判定し、且つ、対象車両Ｂ1が停車したと判定した後に、通信可能広告情報送信装置２があると判定し、且つ、対象車両Ｂ1が始動したと判定した場合に、通信可能広告情報送信装置２から送信された広告情報を施設Ｃの広告情報として受信する。それゆえ、本実施形態では、例えば、対象車両Ｂ1の運転者が、施設Ｃの広告情報送信装置２からの電波が届く範囲に対象車両Ｂ1を停車させ、対象車両Ｂ1を降車し、施設Ｃで用事を済ませた後に、対象車両Ｂ1に乗車し、対象車両Ｂ1を始動させた場合に、施設Ｃの広告情報送信装置２から送信される広告情報を施設Ｃの広告情報として広告情報送信装置２から受信する。そのため、本実施形態では、より適切な広告情報送信装置２から広告情報を受信できる。
【００４７】
また、上記フローを繰り返し実行するうちに、対象装置制御部９が、自車両広告情報蓄積部６が蓄積している自車両広告情報のうちから、蓄積してから設定期間（自車両広告情報を蓄積した日、自車両広告情報を蓄積してから２４時間、自車両Ｂが自宅に戻るまでの期間）が経過した自車両広告情報を順次消去する（図３のステップＳ１０１）。
このように、本実施形態では、装置制御部９が、自車両広告情報蓄積部６に蓄積している自車両広告情報のうちから、蓄積してから設定期間（自車両広告情報を蓄積した日、自車両広告情報を蓄積してから２４時間、自車両Ｂが自宅に戻るまでの期間）が経過した自車両広告情報を消去する。それゆえ、設定期間（自車両広告情報を蓄積した日、自車両広告情報を蓄積してから２４時間、自車両Ｂが自宅に戻るまでの期間）内に取得した自車両広告情報、つまり、フレッシュな自車両広告情報を他車両Ｂに送信できる。
【００４８】
続いて、対象車両Ｂ1の車載装置１が、他車両広告情報を他車両広告情報蓄積部７に蓄積するとともに、自車両広告情報を他車両Ｂに送信する際の動作について説明する。
まず、図６（ｂ）に示すように、対象車両Ｂ1の周囲、つまり、対象車両Ｂ1の無線通信部８からの電波が届く範囲に他車両Ｂが走行していたとする。そして、対象車両Ｂ1の無線通信部８と他車両Ｂの無線通信部８とが、アドホック通信を確立したとする。すると、対象装置制御部９が、対象車両Ｂ1の周囲に対象車両Ｂ1とアドホック通信が可能な他車両Ｂがあると判定する（図４のステップＳ２０２「Ｙｅｓ」）。続いて、対象装置制御部９が、対象車両Ｂ1の無線通信部８と他車両Ｂの無線通信部８とがアドホック通信を確立したと判定する（図４のステップＳ２０３「Ｙｅｓ」）。続いて、対象装置制御部９が、アドホック通信を介して、他車両Ｂの無線通信部８から送信されてくる広告情報（他車両広告情報）および当該他車両Ｂの車両固有キーを受信する（図４のステップＳ２０４）。他車両広告情報は、他車両Ｂが立ち寄った施設Ｃの広告情報である。ここで、受信した車両固有キーに対応付けられている他車両広告情報（対応他車両広告情報）が、他車両広告情報蓄積部７に蓄積していなかったとする。すると、対象装置制御部９が、対応他車両広告情報が他車両広告情報蓄積部７に蓄積されていないと判定する（ステップＳ２０５「Ｎｏ」）。続いて、対象装置制御部９が、受信した他車両広告情報を他車両広告情報蓄積部７に蓄積する（図４のステップＳ２０７）。これにより、対象装置制御部９が、他車両Ｂが立ち寄った施設Ｃの広告情報他車両広告情報として他車両広告情報蓄積部７に蓄積する。
【００４９】
続いて、対象装置制御部９が、アドホック通信を介して、他車両Ｂの無線通信部８に自車両広告情報、および対象車両Ｂ1の車両固有キーを送信する（図４のステップＳ２０８）。これにより、対象装置制御部９が、対象車両Ｂ1と同じ場所に存在し、対象車両Ｂ1と似た行動（例えば、同方向への走行、停車）を行っており、対象車両Ｂ1の無線通信部８から電波が届く範囲内に存在する他車両Ｂと広告情報の共有を行う。そして、同一の場所にいることをもって緩いＳＮＳ、つまり、広告情報の共有ネットワークを形成する。
【００５０】
続いて、対象車両Ｂ1の車載装置１が提示情報を提示する際の動作について説明する。
まず、対象装置制御部９が、他車両広告情報蓄積部７に新しい他車両広告情報を追加したとする。すると、対象装置制御部９が、他車両広告情報蓄積部７が蓄積している他車両広告情報を更新したと判定する（図５のステップＳ３０２「Ｎｏ」）。続いて、対象装置制御部９が、他車両広告情報蓄積部７が蓄積している他車両広告情報に基づいて提示情報を生成する（図５のステップＳ３０３）。続いて、対象装置制御部９が、更新情報提示指令を情報提示部１３に送信する。続いて、情報提示部１３が、送信された提示情報提示指令に従って、提示情報を更新した旨の情報（画像、音声）を情報提示部１３に提示する。これにより、対象車両Ｂ1の乗員は、提示情報が更新されたことを把握可能となる。
【００５１】
ここで、提示情報を更新した旨の情報の提示に応じ、対象車両Ｂ1の乗員が、提示情報を表示させる操作を行ったとする。すると、表示要求部４が、表示要求を対象装置制御部９に送信する。続いて、対象装置制御部９が、対象車両Ｂ1の乗員が提示情報を表示させる操作を行ったと判定する（図５のステップＳ３０５「Ｙｅｓ」）。続いて、対象装置制御部９が、提示情報提示指令を情報提示部１３に送信する。続いて、情報提示部１３が、図２に示すように、送信された提示情報提示指令に従って提示情報（画像、音声）を情報提示部１３に提示する。これにより、対象車両Ｂ1の乗員は、提示情報を把握可能となる。
【００５２】
このように、本実施形態では、対象装置制御部９が、対象車両Ｂ1が立ち寄った施設Ｃの広告情報を施設Ｃの広告情報送信装置２からアドホック通信（車車間通信）で受信する。続いて、対象装置制御部９が、受信した広告情報（自車両広告情報）を自車両広告情報蓄積部６に蓄積する。続いて、対象装置制御部９が、蓄積している自車両広告情報を他車両Ｂに送信する。また、対象装置制御部９が、他車両Ｂの車載装置１の無線通信部８から送信された広告情報（他車両広告情報）を受信する。続いて、対象装置制御部９が、受信した他車両広告情報を他車両広告情報蓄積部７に蓄積する。続いて、対象装置制御部９が、蓄積している他車両広告情報に基づいて提示情報を生成する。続いて、対象装置制御部９が、生成した提示情報を対象車両Ｂ1の乗員に提示する。それゆえ、本実施形態では、例えば、インターネット上から検索したＲＳＳ情報を対象車両Ｂ1の乗員に提示する方法と異なり、実際に利用されている施設Ｃの広告情報に関する提示情報を対象車両Ｂ1の乗員に提示できる。すなわち、本実施形態では、各車両Ｂが、実際に利用した施設Ｃの広告情報を共有できる。それゆえ、本実施形態では、対象車両Ｂ1の乗員は、例えば、単に周辺の施設Ｃの広告情報を提示する方法と異なり、実利用がどの程度されているのかを把握可能となる。なお、本実施形態では、車両固有キーを参照することで、複数の他車両Ｂのうちのいずれの他車両Ｂから広告情報を受信し、受信した広告情報を基に施設Ｃを訪れたかを判定することが可能である。そのため、本実施形態では、アフィリエイト、つまり、広告情報の受信元の他車両Ｂに報酬を支払う制度を導入できる。
【００５３】
また、本実施形態では、対象装置制御部９が、他車両広告情報蓄積部７が蓄積している他車両広告情報に基づく順番に配置した複数の他車両広告情報を提示情報として提示する。それゆえ、他車両広告情報をより適切に配置した提示情報を提示できる。
さらに、本実施形態では、対象装置制御部９が、アドホック通信を介して施設Ｃの無線通信部１５や他車両Ｂの無線通信部８から広告情報を取得する。それゆえ、本実施形態では、例えば、インターネット上から広告情報を取得する方法と異なり、インターネットへ接続する必要なく、インターネットへ接続するための通信料金が発生しない。
【００５４】
また、上記フローを繰り返し実行するうちに、対象装置制御部９が、他車両広告情報蓄積部７が蓄積している他車両広告情報のうちから、蓄積してから設定期間（他車両広告情報を蓄積した日、他車両広告情報を蓄積してから２４時間、対象車両Ｂ1が自宅に戻るまでの期間）が経過した他車両広告情報を順次消去する（図５のステップＳ３０１）。
このように、本実施形態では、対象装置制御部９が、他車両広告情報蓄積部７に蓄積している他車両広告情報のうちから、蓄積してから設定期間（他車両広告情報を蓄積した日、他車両広告情報を蓄積してから２４時間、対象車両Ｂ1が自宅に戻るまでの期間）が経過した他車両広告情報を消去する。それゆえ、設定期間内に取得した他車両広告情報、つまり、フレッシュな他車両広告情報を基に提示情報を生成できる。これにより、対象車両Ｂ1の周辺を走行している他車両Ｂの最新の人気スポットを提示できる。
【００５５】
本実施形態では、図１の車載装置１が車両用情報提示装置を構成する。以下同様に、図１の無線通信部８、装置制御部９、図４のステップＳ１０７が広告情報受信部を構成する。また、図１の装置制御部９、図３のステップＳ１０９が広告情報取得部および自車両広告情報蓄積部を構成する。さらに、図１の無線通信部８、装置制御部９、図４のステップＳ２０８が自車両広告情報送信部を構成する。また、図１の無線通信部８、装置制御部９、図４のステップＳ２０４が他広告情報受信部を構成する。さらに、図１の他車両広告情報蓄積部７、装置制御部９、図４のステップＳ２０７が他車両広告情報蓄積部を構成する。また、図１の装置制御部９、図５のステップＳ３０３が提示情報生成部を構成する。さらに、図１の情報提示部１３、装置制御部９、図５のステップＳ３０６が情報提示部を構成する。また、図１の装置制御部９、図５のステップＳ３０１が他車両広告情報消去部を構成する。さらに、図１の装置制御部９、図３のステップＳ１０１が自車両広告情報消去部を構成する。また、図１の装置制御部９、図３のステップＳ１０２、Ｓ１０５が通信可能広告情報送信装置判定部を構成する。さらに、図１の装置制御部９、図３のステップＳ１０３が停車判定部を構成する。また、図１の装置制御部９、図３のステップＳ１０４が始動判定部を構成する。
【００５６】
（本実施形態の効果）
本実施形態は、次のような効果を奏する。
（１）装置制御部９は、自車両Ｂが立ち寄った施設Ｃ（立寄施設Ｃ）の広告情報を立寄施設Ｃの広告情報送信装置２から受信する。続いて、装置制御部９は、受信した広告情報（自車両広告情報）を自車両広告情報蓄積部６に蓄積する。続いて、装置制御部９は、蓄積している自車両広告情報を他車両Ｂに送信する。また、装置制御部９は、他車両Ｂの車載装置１の無線通信部８から送信された広告情報（他車両広告情報）を受信する。続いて、装置制御部９は、受信した他車両広告情報を他車両広告情報蓄積部７に蓄積する。続いて、装置制御部９は、蓄積している他車両広告情報に基づいて提示情報を生成する。続いて、装置制御部９は、生成した提示情報を自車両Ｂの乗員に提示する。
このような構成によれば、他車両Ｂが立ち寄った施設Ｃの広告情報、つまり、他車両Ｂが利用した施設Ｃの広告情報を自車両Ｂの乗員に提示する。それゆえ、実際に利用されている施設Ｃの広告情報に関する提示情報を自車両Ｂの乗員に提示できる。
【００５７】
（２）装置制御部９は、他車両広告情報蓄積部７が蓄積している他車両広告情報のうちから、蓄積してから設定期間が経過した他車両広告情報を消去する。
このような構成によれば、設定期間内に取得した自車両広告情報、つまり、フレッシュな他車両広告情報を基に提示情報を生成できる。
【００５８】
（３）装置制御部９は、自車両広告情報蓄積部６に蓄積している自車両広告情報のうちから、蓄積してから設定期間（自車両広告情報を蓄積した日、自車両広告情報を蓄積してから２４時間、自車両Ｂが自宅に戻るまでの期間）が経過した自車両広告情報を消去する。
このような構成によれば、設定期間（自車両広告情報を蓄積した日、自車両広告情報を蓄積してから２４時間、自車両Ｂが自宅に戻るまでの期間）内に取得した自車両広告情報、つまり、フレッシュな自車両広告情報を他車両Ｂに送信できる。
【００５９】
（４）装置制御部９は、無線通信部８と通信可能な広告情報送信装置２（通信可能広告情報送信装置２）があると判定し、且つ、自車両Ｂが停車したと判定した後に、通信可能広告情報送信装置２があると判定し、且つ、自車両Ｂが始動したと判定した場合に、通信可能広告情報送信装置２から送信された広告情報を施設Ｃの広告情報として受信する。
このような構成によれば、例えば、自車両Ｂの運転者が、施設Ｃの広告情報送信装置２からの電波が届く範囲に自車両Ｂを停車させ、自車両Ｂを降車し、施設Ｃで用事を済ませた後に、自車両Ｂに乗車し、自車両Ｂを始動させた場合に、施設Ｃの広告情報送信装置２から送信される広告情報を施設Ｃの広告情報として広告情報送信装置２から受信する。それゆえ、より適切な広告情報送信装置２から広告情報を受信できる。
【００６０】
（５）装置制御部９は、自車両Ｂが停車したと判定したときの時刻、および自車両Ｂが始動したと判定したときの時刻の少なくともいずれかが、受信した広告情報が含んでいる施設Ｃの営業時間の範囲外であると判定した場合には、受信した広告情報を自車両広告情報蓄積部６に蓄積しない。
このような構成によれば、自車両Ｂが停車したと判定したときの時刻、および自車両Ｂが始動したと判定したときの時刻の少なくともいずれかが、施設Ｃの営業時間の範囲外である場合、つまり、自車両Ｂの乗員が施設Ｃを利用していない場合には、施設Ｃの広告情報を蓄積しない。それゆえ、より適切な広告情報を蓄積できる。
【００６１】
（６）装置制御部９は、自車両Ｂが停車したと判定してから、自車両Ｂが始動したと判定するまでの間の時間が、受信した広告情報が含んでいる施設Ｃのジャンルに応じた想定利用時間よりも短い場合には、受信した広告情報を自車両広告情報蓄積部６に蓄積しない。
このような構成によれば、自車両Ｂが停車したと判定してから、自車両Ｂが始動したと判定するまでの間の時間が、受信した広告情報が含んでいる施設Ｃのジャンルに応じた想定利用時間よりも短い場合、つまり、自車両Ｂの乗員が施設Ｃを利用していない場合には、施設Ｃの広告情報を蓄積しない。それゆえ、より適切な広告情報を蓄積できる。
【００６２】
（７）装置制御部９は、他車両広告情報蓄積部７が蓄積している他車両広告情報を順に配置した情報を提示情報として生成するとともに、他車両広告情報蓄積部７が蓄積している他車両広告情報に基づいて、該他車両広告情報の配置順を設定する。
この構成によれば、蓄積している他車両広告情報に基づいて、該他車両広告情報の配置順を設定する。それゆえ、広告情報をより適切に配置した提示情報を提示できる。
【００６３】
（８）装置制御部９は、他車両広告情報蓄積部７が蓄積している他車両広告情報が含む施設の営業時間を考慮し、他車両広告情報蓄積部７が蓄積している他車両広告情報のうち、営業時間内に自車両Ｂが到達できる施設Ｃの広告情報に基づいて提示情報を生成する。
このような構成によれば、営業時間内に自車両Ｂが到達できない施設Ｃの広告情報を提示情報から省くことができる。それゆえ、より適切な提示情報を提示できる。
【符号の説明】
【００６４】
１      車載装置（車両用情報提示装置）
７      他車両広告情報蓄積部（他車両広告情報蓄積部）
８      無線通信部（広告情報受信部、自車両広告情報送信部、他広告情報受信部）
９      装置制御部（広告情報受信部、自車両広告情報蓄積部、自車両広告情報送信部、他広告情報受信部、他車両広告情報蓄積部、提示情報生成部、情報提示部、他車両広告情報消去部、自車両広告情報消去部、通信可能広告情報送信装置判定部、停車判定部、始動判定部）
１３    情報提示部（情報提示部）
ステップＳ１０１（自車両広告情報消去部）
ステップＳ１０２（通信可能広告情報送信装置判定部）
ステップＳ１０３（停車判定部）
ステップＳ１０４（始動判定部）
ステップＳ１０５（通信可能広告情報送信装置判定部）
ステップＳ１０７（広告情報受信部）
ステップＳ１０９（自車両広告情報蓄積部）
ステップＳ２０４（他広告情報受信部）
ステップＳ２０７（他車両広告情報蓄積部）
ステップＳ２０８（自車両広告情報送信部）
ステップＳ３０１（他車両広告情報消去部）
ステップＳ３０３（提示情報生成部）
ステップＳ３０６（情報提示部）
【図１】
2014215131.tif 000003
【図２】
2014215131.tif 000004
【図３】
2014215131.tif 000005
【図４】
2014215131.tif 000006
【図５】
2014215131.tif 000007
【図６】
2014215131.tif 000008